(57)【要約】【課題】商品陳列室の視認性及び商品の出し入れの作業性を向上させ、さらに、キャノピの結露を防止する。【解決手段】ショーケース１は、前面が開口して内部を冷却可能なケース本体２と、そのケース本体２の前面上部に設けられ照明カバーとなるキャノピ７と、そのキャノピ７の下部に設けられ光を照射する照明部８とを備えている。照明部８は、複数の発光ダイオードがライン状に並ぶライン型のＬＥＤ灯具であり、前述のキャノピ７に接触するように設けられている。【選択図】図１
2012231967.tif 000002
【特許請求の範囲】
【請求項１】
前面が開口して内部を冷却可能なケース本体と、
前記ケース本体の前面上部に設けられ、照明カバーとなるキャノピと、
前記キャノピの下部に設けられ、光を照射する照明部と、
を備え、
前記照明部は、複数の発光ダイオードがライン状に並ぶライン型のＬＥＤ灯具であり、前記キャノピに接触するように設けられていることを特徴とするショーケース。
【請求項２】
前記照明部は、光が出射する出射面が下方に向けられ、前記出射面の反対面である裏面が前記キャノピに接触するように設けられていることを特徴とする請求項１記載のショーケース。
【請求項３】
前記ケース本体は、前記ケース本体の前面上部に位置するノジング部を有しており、
前記キャノピは、前記ノジング部の一部となる底面材を有しており、
前記照明部は、前記底面材に接触するように設けられていることを特徴とする請求項１又は２記載のショーケース。
【請求項４】
前記照明部は、前記ケース本体の電源オンに応じて点灯し、前記ケース本体の電源オフに応じて消灯することを特徴とする請求項１、２又は３記載のショーケース。
【請求項５】
前記ケース本体に設けられたファンと、
前記ファンに電力を供給する電源と、
を備え、
前記照明部は、前記電源に電気的に接続されており、前記電源から電力の供給を受けることを特徴とする請求項１、２、３又は４記載のショーケース。
【請求項６】
前記キャノピは、カードを保持するための凸部を有していることを特徴とする請求項１、２、３、４又は５記載のショーケース。
【発明の詳細な説明】
【技術分野】
【０００１】
本発明は、ショーケースに関し、例えば、商品を冷却するショーケースに関する。
【背景技術】
【０００２】
スーパーマーケットやコンビニエンスストアなどの店舗においては、冷蔵食品や生鮮食品、冷凍食品などの商品を陳列して冷却（冷蔵や冷凍）するショーケースが用いられている。このショーケースとしては、例えば、ケース本体の前面、すなわち商品陳列室の前面開口部を冷気のエアカーテンにより覆って商品陳列室内の冷却を行うオープンショーケースが広く普及している。
【０００３】
このオープンショーケースのケース本体の前面上部には、天蓋となるキャノピが設けられており、そのキャノピの下方には、商品陳列室内を照明する蛍光灯や蛍光灯型のＬＥＤ（発光ダイオード）灯具などのキャノピ光源が設けられている。また、ケース本体の前面上部に位置するノジング部の内部には、そのノジング部の表面に発生する結露を防止する防露ヒータが設けられている（例えば、特許文献１参照）。
【０００４】
このようなオープンショーケースの中には、ケース本体の高さが低いセミハイケース（例えば、全高１，２００〜１，５００ｍｍ程度）と呼ばれるオープンショーケースがあり、そのセミハイケースは店舗の中島に多用されている。このセミハイケースにおいては、買物客が商品陳列室内の商品を購入する際、ケース本体上部のキャノピの出っ張りが邪魔になることがある。このため、ケース本体の天井パネルの奥行き寸法を一般的なオープンショーケースよりも小さくして、キャノピを後退させたセミハイケースも開発されている。
【先行技術文献】
【特許文献】
【０００５】
【特許文献１】特開平９−４９６６号公報
【発明の概要】
【発明が解決しようとする課題】
【０００６】
しかしながら、前述のように、蛍光灯や蛍光型ＬＥＤ灯具などのキャノピ光源を用いた場合には、それらを覆う形状のキャノピの外装高さや出寸法が大きくなり、キャノピ自体が大型化するため、そのキャノピが邪魔となり、商品陳列室の視認性、特に、最上段の商品陳列棚の視認性が低下してしまう。さらに、キャノピの大型化により、商品の陳列や取り出しなどの商品の出し入れ作業が困難になってしまう。一方、キャノピの小型化を実現した場合でも、キャノピがケース本体に近づくため、そのキャノピ自体が結露するという問題が生じてしまう。
【０００７】
本発明は上記を鑑みてなされたものであり、その目的は、商品陳列室の視認性及び商品の出し入れの作業性を向上させることができ、さらに、キャノピの結露を防止することができるオープンショーケースを提供することである。
【課題を解決するための手段】
【０００８】
本発明に係る第１の特徴は、ショーケースにおいて、前面が開口して内部を冷却可能なケース本体と、ケース本体の前面上部に設けられ、照明カバーとなるキャノピと、キャノピの下部に設けられ、光を照射する照明部とを備え、照明部は、複数の発光ダイオードがライン状に並ぶライン型のＬＥＤ灯具であり、キャノピに接触するように設けられていることである。
【０００９】
本発明に係る第２の特徴は、前述の第１の特徴に係るショーケースにおいて、照明部は、光が出射する出射面が下方に向けられ、出射面の反対面である裏面がキャノピに接触するように設けられていることである。
【００１０】
本発明に係る第３の特徴は、前述の第１又は第２の特徴に係るショーケースにおいて、ケース本体は、ケース本体の前面上部に位置するノジング部を有しており、キャノピは、ノジング部の一部となる底面材を有しており、照明部は、底面材に接触するように設けられていることである。
【００１１】
本発明に係る第４の特徴は、前述の第１、第２又は第３の特徴に係るショーケースにおいて、照明部は、ケース本体の電源オンに応じて点灯し、ケース本体の電源オフに応じて消灯することである。
【００１２】
本発明に係る第５の特徴は、前述の第１、第２、第３又は第４の特徴に係るショーケースにおいて、ケース本体に設けられたファンと、ファンに電力を供給する電源とを備え、照明部は、電源に電気的に接続されており、電源から電力の供給を受けることである。
【００１３】
本発明に係る第６の特徴は、前述の第１、第２、第３、第４又は第５の特徴に係るショーケースにおいて、キャノピは、カードを保持するための凸部を有していることである。
【発明の効果】
【００１４】
本発明に係る第１の特徴によれば、照明部としてライン型のＬＥＤ灯具が用いられ、その照明部がキャノピに接触するように設けられている。ライン型のＬＥＤ灯具の使用により、キャノピの外装高さや出寸法が小さくなり、キャノピが小型化する。このため、キャノピが邪魔にならず、商品陳列室の視認性、特に最上段の商品陳列棚の視認性を向上させることでき、さらに、商品の陳列や取り出しなどの商品の出し入れの作業性を向上させることができる。加えて、照明部がキャノピに直接熱を与えることになるので、キャノピを良好に加熱することが可能となり、キャノピの結露を防止することができる。
【００１５】
本発明に係る第２の特徴によれば、照明部の出射面の裏面がキャノピに接触している。これにより、照明部による照明を良好に維持しつつ、キャノピが照明部の熱を放散する放熱部材として機能するので、その照明部を良好に冷やすことが可能となる。このため、照明部の温度上昇を抑え、照明部の寿命を延ばすことができる。
【００１６】
本発明に係る第３の特徴によれば、照明部はノジング部の一部となる底面材に接触するように設けられている。これにより、照明部が底面材を介してノジング部を良好に加熱することが可能となるので、ノジング部の結露を確実に防止することができ、その結果、ノジング部内の防露ヒータを不要とすることができる。さらに、底面材は冷気に触れるノジング部の一部であるため、その底面材に直接接触する照明部の温度上昇をより確実に抑えることが可能であり、照明部の寿命を延ばすことができる。
【００１７】
本発明に係る第４の特徴によれば、照明部はケース本体の電源オンに応じて点灯し、ケース本体の電源オフに応じて消灯する。これにより、ケース本体が電源オンである状態、すなわち冷却運転中である場合には、照明部が必ず点灯することになる。したがって、店舗の店員などが冷却運転中に照明部の点灯及び消灯を切り替えることが不可能となり、閉店時間中などの消灯を防ぐことが可能となるので、常にキャノピの結露を抑えることができ、結果として、より確実にキャノピの結露を防止することができる。
【００１８】
本発明に係る第５の特徴によれば、照明部は、ファンに電力を送る電源から電力の供給を受ける。これにより、電源がファンと照明部により共用されるため、部品点数が減少することになり、組立作業の工程数やコストを削減することができる。
【００１９】
本発明に係る第６の特徴によれば、キャノピはカードを保持するための凸部を有している。これにより、キャノピなどの筺体に、商品情報を表示するカード（例えばプライスカードなど）を保持する専用のレールを設置する必要が無くなり、部品点数が減少するので、組立作業の工程数やコストを削減することができる。
【図面の簡単な説明】
【００２０】
【図１】本発明の実施の一形態に係るショーケースの概略構成を示す断面側面図である。
【図２】図１に示すショーケースの一部を拡大して示す断面側面図である。
【発明を実施するための形態】
【００２１】
本発明の実施の一形態について図面を参照して説明する。
【００２２】
図１に示すように、本発明の実施の一形態に係るショーケース１は、前面が開口するケース本体２と、そのケース本体２内に設けられた複数の商品陳列棚３及びダクト４と、そのダクト４内に設けられた冷却器５及びファン（送風機）６と、ケース本体２の前面上部に位置するキャノピ７と、そのキャノピ７の下部に設けられた照明部８と、ファン６及び照明部８に電力を供給する直流電源９とを備えている。
【００２３】
ケース本体２は、その内部である商品陳列室内を冷却可能（例えば冷蔵や冷凍可能）に形成されている。また、各商品陳列棚３は、商品陳列室内に高さ位置変更可能に設けられている。ダクト４は、ケース本体２内の底面に位置する下部ダクトと、ケース本体２内の背面に位置する背面ダクトと、ケース本体２内の天井面に位置する上部ダクトにより構成されている。また、冷却器５及びファン６は下部ダクト内に設置されている。ケース本体２の開口上部には、上部ダクトからの冷気を下方に向けて吹き出す吹出口Ｈ１（ダクト４の一端の開口部）が設けられ、ケース本体２の開口下部には、吹出口Ｈ１から吹き出された冷気を吸い込む吸入口Ｈ２（ダクト４の他端の開口部）が設けられている。
【００２４】
このケース本体２では、冷却器５により生じた冷気はファン６の送風によりダクト４を通って上昇し、ケース本体２の開口上部に位置する吹出口Ｈ１から吹き出され、商品陳列室、すなわち各商品陳列棚３上の商品を冷却し、ケース本体２の開口下部に位置する吸入口Ｈ２から吸入される。その後、冷気はダクト４を通り、再び、冷却器５により冷却されて上昇し、吹出口Ｈ１から吹き出されて循環する。なお、冷気が吹き出る吹出口Ｈ１の手前側には、ケース本体２の前面上部に位置するノジング部２ａが設けられている。このノジング部２ａの背面には、冷気が直接触れることになる。
【００２５】
図２に示すように、キャノピ７は、ケース本体２の前面の幅方向に延伸する天蓋である照明カバーとして機能するものであり、例えば金属などの熱伝導性を有する材料により形成されている。このキャノピ７は、キャノピ本体となるカバー材７ａと、キャノピ底面材となる底面材７ｂと、商品情報（例えば、商品名や値段、商品内容など）を表示するカード（表示板）Ｃを保持するための凸部７ｃとを有している。底面材７ｂは、キャノピ底面から延伸してノジング部２ａの一部を形成する。また、凸部７ｃは、キャノピ７の上面にケース本体２の前面側に位置付けて形成され、キャノピ７の延伸方向に沿って延伸しており、カードホルダとして機能する。この凸部７ｃには、前述のカードＣが引っ掛けられるように取り付けられる。なお、キャノピ７は、金属などの板材（カバー材７ａや底面材７ｂなど）を折り曲げたり、潰し折りしたりして、前述の凸部７ｃを有する構造に形成されている。
【００２６】
照明部８は、複数の発光ダイオード（ＬＥＤ）がライン状に並ぶライン型のＬＥＤ灯具であり、例えば直方体形状に形成されている。この照明部８は、その長手方向（各発光ダイオードの並び方向）がキャノピ７の延伸方向に沿わされ、キャノピ７の下部、すなわち底面材７ｂの下面に取り付けられている。これにより、照明部８は底面材７ｂに接触することになる。この接触配置により、照明部８は底面材７ｂを介してキャノピ７及びノジング部２ａを良好に加熱することが可能になる。したがって、ノジング部２ａの結露防止を目的として、ノジング部２ａの内部に防露ヒータを設ける必要が無くなる。
【００２７】
また、照明部８は、光が出射する出射面Ｍ１が下方に向けられ、その出射面Ｍ１の反対面である裏面Ｍ２がキャノピ７の底面材７ｂに接触するように設けられている。これにより、商品陳列室内は照明部８により照らされることになり、また、キャノピ７は、照明部８により発生した熱を放散する放熱部材として機能する。この放熱機能により照明部８の温度上昇を抑えることが可能となる。特に、照明部８は、冷気に触れるノジング部２ａの一部である底面材７ｂに直接接触しているため、より確実に照明部８の温度上昇を抑えることができる。なお、照明部８は、その断面（短手方向に平行な断面）が極力小さな断面形状にされ、キャノピ７に接触可能な構造に形成されている。
【００２８】
また、照明部８は、ケース本体２の電源オン（冷却運転オン）に応じて点灯し、ケース本体２の電源オフ（冷却運転オフ）に応じて消灯する。これにより、ケース本体２が電源オンである場合、すなわち冷却運転中である場合には、照明部８が必ず点灯することになる。ここで、キャノピ７及びノジング部２ａの結露を常に防止するためには、照明部８を常時点灯させる必要があるため、２４時間営業でない店舗の閉店時間中にも照明部８を点灯させることが求められる。したがって、店舗の店員などが操作して点灯及び消灯を切り替える操作スイッチを無くし、冷却運転がオン状態である場合に照明部８を必ず点灯させることで、キャノピ７及びノジング部２ａの結露を常に防止することができる。
【００２９】
図１に戻り、直流電源９は、例えばケース本体２の下部に位置するベース部に内蔵されており、商用の交流を直流に変化してファン６及び照明部８に電力を供給する。つまり、ファン６及び照明部８は電気的に直流電源９に接続されており、その直流電源９から電力の供給を受けることになる。このようにファン６のモータ用の電源と照明部８との電源を共用の一つの電源にすることで、部品点数を減少させてコストアップを抑えることができる。
【００３０】
以上説明したように、本発明の実施の形態によれば、照明部８としてライン型のＬＥＤ灯具を用い、その照明部８をキャノピ７に接触させて設けている。ライン型のＬＥＤ灯具が照明部８として使用されるので、キャノピ７の外装高さや出寸法が小さくなり、キャノピ７が小型化する。これにより、キャノピが邪魔にならず、商品陳列室の視認性、特に最上段の商品陳列棚３の視認性を向上させることでき、さらに、商品の陳列や取り出しなどの商品の出し入れの作業性を向上させることができる。加えて、照明部８がキャノピ７に直接熱を与えるので、キャノピ７を良好に加熱することが可能となり、キャノピ７の結露を確実に防止することができる。
【００３１】
なお、照明部８がノジング部２ａ用の防露ヒータの役目を兼ねるため、防露ヒータが不要となり、組立作業の工程数の削減やコストの削減を実現することができる。さらに、２４時間営業でない店舗における閉店時間中にも、照明部８は点灯し、防露ヒータとしての役目に加え、防犯灯としての役目を果たすことが可能となる。加えて、照明部８の消費電力は小さいため、照明部８は長期の連続照射、例えば、五年から六年間の連続照射が可能であり、その期間だけランプ交換作業を省略することができる。
【００３２】
また、照明部８の出射面Ｍ１の裏面Ｍ２をキャノピ７に接触させることによって、照明部８による照明を良好に維持しつつ、キャノピ７が照明部８の熱を放散する放熱部材として機能するため、その照明部８を良好に冷やすことが可能となる。これにより、照明部８の温度上昇を抑え、照明部８の寿命を延ばすことができる。
【００３３】
また、ノジング部２ａの一部となる底面材７ｂに照明部８を接触するように設けることによって、照明部８が底面材７ｂを介してノジング部２ａを良好に加熱することが可能となるので、より確実にノジング部２ａの結露を防止することができ、その結果、ノジング部２ａ内の防露ヒータを不要とすることができる。さらに、底面材７ｂは冷気に触れるノジング部２ａの一部であるため、その底面材７ｂに直接接触する照明部８の温度上昇をより確実に抑えることが可能であり、照明部８の寿命を延ばすことができる。
【００３４】
また、照明部８をケース本体２の電源オンに応じて点灯させ、ケース本体２の電源オフに応じて消灯させることによって、ケース本体２が電源オンである状態、すなわち冷却運転中である場合には、照明部８が必ず点灯することになる。これにより、店舗の店員などが冷却運転中に照明部８の点灯及び消灯を切り替えることが不可能となり、閉店時間中などの消灯を防ぐことが可能となるので、常にキャノピ７及びノジング部２ａの結露を抑えることができ、結果として、より確実にキャノピ７及びノジング部２ａの結露を防止することができる。
【００３５】
また、ファン６に電力を送る直流電源９に照明部８を電気的に接続し、その直流電源９から照明部８に電力を供給することによって、電源がファン６と照明部８により共用される。これにより、部品点数が減少するため、組立作業の工程数やコストを削減することができる。
【００３６】
また、キャノピ７にカードＣを保持するための凸部７ｃを設けることによって、キャノピ７などの筺体に、商品情報を表示するカード（例えばプライスカードなど）を保持する専用のレールを設置する必要が無くなる。これにより、部品点数が減少するため、組立作業の工程数やコストを削減することができる。なお、キャノピ７の上面に凸部７ｃにかえて、例えば、カードＣを支持するための凹部を設けるようにしても良い。
【００３７】
以上、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。
【符号の説明】
【００３８】
１    ショーケース
２    ケース本体
２ａ  ノジング部
３    商品陳列棚
４    ダクト
５    冷却器
６    ファン
７    キャノピ
７ａ  カバー材
７ｂ  底面材
７ｃ  凸部
８    照明部
９    直流電源
Ｃ    カード
Ｈ１  吹出口
Ｈ２  吸入口
Ｍ１  出射面
Ｍ２  裏面
【図１】
2012231967.tif 000003
【図２】
2012231967.tif 000004